(57)【特許請求の範囲】
【請求項１】
データの表示を行うとともに、ユーザからの操作を受け付ける移動元タッチパネルと、前記移動元タッチパネルにおいて表示されているデータを選択する選択手段と、前記選択手段により選択されたデータを通信相手に送信する送信手段と、前記選択手段により選択されたデータの前記移動元タッチパネルにおける表示範囲のうち、任意の位置から当該タッチパネルの外端部に向けた移動元スライド操作を前記移動元タッチパネルにおいて検出する検出手段と、前記検出手段により当該移動元スライド操作を検出すると、当該移動元スライド操作に従った外端部方向に向けて前記データをスライド表示させるように、前記移動元タッチパネルを制御する表示制御手段と、を備え、前記送信手段は、前記表示制御手段による前記データのスライド表示を行う前に、前記データの送信を完了している送信側携帯端末と通信接続する携帯端末において、
前記送信側携帯端末からデータを受信する受信手段と、
前記受信手段により受信されたデータを記憶する記憶手段と、
データの表示を行うとともに、ユーザからの操作を受け付ける移動先タッチパネルと、
前記移動先タッチパネルにおいて、当該移動先タッチパネルの外端部から内側に向けた移動先スライド操作を検出する移動先検出手段と、
前記移動先検出手段により当該移動先スライド操作を検出すると、前記記憶手段に記憶されているデータを、前記移動先スライド操作に従った外端部から内側に向けた方向にスライド表示させるように、前記タッチパネルを制御する移動先表示制御手段と、を備える携帯端末。
【請求項２】
前記記憶手段に記憶されているデータを削除する削除手段をさらに備え、
前記受信手段は、前記送信側携帯端末において移動元スライド操作が行われた旨の通知、当該通知が送信された時刻、若しくは移動元スライド操作が行われた時刻を受信し、前記通知が送信された時刻、前記通知が受信された時刻、または移動元スライド操作が行われた時刻のいずれかを基準時として所定時間内に、前記移動先スライド操作が行われると、前記移動先表示制御手段は、前記タッチパネルにおいてデータのスライド表示を行い、所定時間内に、前記移動先スライド操作が行われないと、前記移動先表示制御手段による前記タッチパネルにおいてデータのスライド表示を行うことなく、前記削除手段は、前記データを前記記憶手段から削除することを特徴とする請求項１に記載の携帯端末。
【請求項３】
所定の条件の下において、前記タッチパネルにおいて、予め用意されたダミーデータがスライド表示されることを特徴とする請求項１または２に記載の携帯端末。
【請求項４】
位置情報を測位する移動先測位手段をさらに備え、
前記受信手段は、ネットワーク上に配置されている中継サーバを介して、通信相手からデータを受信し、当該受信に先立って、前記中継サーバに対して、スライド表示をさせるための機能を起動したことを示す起動情報および前記移動先測位手段により測位された位置情報を通知することを特徴とする請求項１から３のいずれか一項に記載の携帯端末。
【請求項５】
前記受信手段は、
前記送信側携帯端末から送信されるデータを受信するとともに、前記データのスライド方向を受信し、
前記移動先表示制御手段は、
前記受信手段により受信されたスライド方向と、前記移動先検出手段により検出されたスライド操作とに基づいて、表示されるデータの向きを制御する、
請求項１から４のいずれか一項に記載の携帯端末。
【請求項６】
前記移動先表示制御手段は、
前記受信手段により受信されたスライド方向が、操作面に対して左右いずれの方向であるかを判断し、前記移動先検出手段により、判断した方向に対して逆方向側からスライド操作が検出された場合には、表示されるデータの向きを上下反対にさせる、
請求項５に記載の携帯端末。
【請求項７】
移動元携帯端末と、移動先携帯端末と、中継サーバとからなるデータ送信システムにおいて、
前記移動元携帯端末は、
位置情報を測位する移動元測位手段と、
予め定められたデータ送信機能を起動する移動元起動手段と、
前記移動元測位手段により測位された位置情報、前記移動元起動手段によりデータ送信機能が起動された旨を示す起動情報を、前記中継サーバに通知する移動元通知手段と、
データの表示を行うとともに、ユーザからの操作を受け付ける移動元タッチパネルと、
前記移動元タッチパネルにおいて表示されているデータを選択する選択手段と、
前記選択手段により選択されたデータを前記中継サーバに送信する送信手段と、
前記選択手段により選択されたデータの前記移動元タッチパネルにおける表示範囲のうち、任意の位置から当該タッチパネルの外端部に向けた移動元スライド操作を前記移動元タッチパネルにおいて検出する検出手段と、
前記検出手段により当該移動元スライド操作を検出すると、当該移動元スライド操作に従った外端部方向に向けて前記データをスライド表示させるように、前記移動元タッチパネルを制御する表示制御手段と、を備え、
前記移動先携帯端末は、
位置情報を測位する移動先測位手段と、
予め定められたデータ送信機能を起動する移動先起動手段と、
前記移動先測位手段により測位された位置情報および前記移動先起動手段によりデータ送信機能が起動された旨を示す起動情報を、前記中継サーバに通知する移動先通知手段と、
前記移動元携帯端末からデータを受信する受信手段と、
前記受信手段により受信されたデータを記憶する記憶手段と、
データの表示を行うとともに、ユーザからの操作を受け付ける移動先タッチパネルと、
前記移動先タッチパネルにおいて、当該移動先タッチパネルの外端部から内側に向けた移動先スライド操作を検出する移動先検出手段と、
前記移動先検出手段により当該移動先スライド操作を検出すると、前記記憶手段に記憶されているデータを、前記移動先スライド操作に従った外端部から内側に向けた方向にスライド表示させるように、前記タッチパネルを制御する移動先表示制御手段と、
を備え、
前記中継サーバは、
前記移動元携帯端末の識別情報、位置情報および起動情報、前記移動先携帯端末の識別情報、位置情報、および起動情報を受信する受信手段と、
前記受信手段により受信された各位置情報および起動情報に基づいて、前記移動元携帯端末および前記移動先携帯端末の組み合わせを特定する特定手段と、
前記移動元携帯端末からデータを受信すると、前記特定手段により組み合わせが特定された移動先携帯端末に対してデータを転送する中継手段と、を備えることを特徴とするデータ送信システム。
【請求項８】
データの表示を行うとともに、ユーザからの操作を受け付ける移動元タッチパネルを有する移動元携帯端末、およびデータの表示を行うとともに、ユーザからの操作を受け付ける移動先タッチパネルを有する移動先携帯端末を利用したデータ送信方法において、
前記移動元タッチパネルにおいて表示されているデータを選択する選択ステップと、
前記選択ステップにより選択されたデータを通信相手に送信する送信ステップと、
前記選択ステップにより選択されたデータの前記移動元タッチパネルにおける表示範囲のうち、任意の位置から当該タッチパネルの外端部に向けた移動元スライド操作を前記移動元タッチパネルにおいて検出する検出ステップと、
前記検出ステップにより当該移動元スライド操作を検出すると、当該移動元スライド操作に従った外端部方向に向けて前記データをスライド表示させるように、前記移動元タッチパネルを制御する移動元表示制御ステップと、
前記移動元携帯端末からデータを受信する受信ステップと、
前記受信ステップにより受信されたデータを記憶手段に記憶する記憶ステップと、
データの表示を行うとともに、ユーザからの操作を受け付ける移動先タッチパネルと、
前記移動先タッチパネルにおいて、当該移動先タッチパネルの外端部から内側に向けた移動先スライド操作を検出する移動先検出ステップと、
前記移動先検出ステップにより当該移動先スライド操作を検出すると、前記記憶手段に記憶されているデータを、前記移動先スライド操作に従った外端部から内側に向けた方向にスライド表示させるように、前記タッチパネルを制御する移動先表示制御ステップと、を備え、
前記送信ステップは、前記移動元表示制御ステップによる前記データのスライド表示を行う前に、前記データの送信を完了していることを特徴とするデータ送信方法。
【請求項９】
データの表示を行うとともに、ユーザからの操作を受け付ける移動元タッチパネルを有する移動元携帯端末と、データの表示を行うとともに、ユーザからの操作を受け付ける移動先タッチパネルを有する移動先携帯端末と、中継サーバとからなるデータ送信システムのデータ送信方法において、
前記移動元携帯端末は、
位置情報を測位する移動元測位ステップと、
予め定められたデータ送信機能を起動する移動元起動ステップと、
前記移動元測位ステップにより測位された位置情報および前記移動元起動ステップによりデータ送信機能が起動された旨を、前記中継サーバに通知する移動元通知ステップと、
前記移動元タッチパネルにおいて表示されているデータを選択する選択ステップと、
前記選択ステップにより選択されたデータを前記中継サーバに送信する送信ステップと、
前記選択ステップにより選択されたデータの前記移動元タッチパネルにおける表示範囲のうち、任意の位置から当該タッチパネルの外端部に向けた移動元スライド操作を前記移動元タッチパネルにおいて検出する移動元検出ステップと、
前記検出ステップにより当該移動元スライド操作を検出すると、当該移動元スライド操作に従った外端部方向に向けて前記データをスライド表示させるように、前記移動元タッチパネルを制御する移動元表示制御ステップと、を備え、
前記移動先携帯端末は、
位置情報を測位する移動先測位ステップと、
予め定められたデータ送信機能を起動する移動先起動ステップと、
前記移動先測位ステップにより測位された位置情報および前記移動先起動ステップによりデータ送信機能が起動された旨を示す起動情報、前記中継サーバに通知する移動先通知ステップと、
前記移動元携帯端末からデータを受信する受信ステップと、
前記受信ステップにより受信されたデータを記憶手段に記憶する記憶ステップと、
前記移動先タッチパネルにおいて、当該移動先タッチパネルの外端部から内側に向けた移動先スライド操作を検出する移動先検出ステップと、
前記移動先検出ステップにより当該移動先スライド操作を検出すると、前記記憶手段に記憶されているデータを、前記移動先スライド操作に従った外端部から内側に向けた方向にスライド表示させるように、前記タッチパネルを制御する移動先表示制御ステップと、
を備え、
前記中継サーバは、
前記移動元携帯端末の識別情報、位置情報および起動情報、前記移動先携帯端末の識別情報、位置情報および起動情報を受信する受信ステップと、
前記受信ステップにより受信された各位置情報および起動情報に基づいて、前記移動元携帯端末および前記移動先携帯端末の組み合わせを特定する特定ステップと、
前記移動元携帯端末からデータを受信すると、前記特定ステップにより組み合わせが特定された移動先携帯端末に対してデータを転送する中継ステップと、を備えることを特徴とするデータ送信方法。
【発明の詳細な説明】
【技術分野】
【０００１】
本発明は、タッチパネルを備える携帯端末、およびこれを備えたデータ送信システム並びにデータ送信方法に関する。
【背景技術】
【０００２】
近年、タッチパネルを備える携帯端末が普及しており、直感的な操作を可能にしている。例えば、タッチパネルに表示されているアイコンをタッチすることにより、所定のアプリケーションを起動することができる。また、特許文献１においては、アイコンなどのオブジェクトをドラッグなどすることによりオブジェクトの移動をさせることの記載があり、直感的な操作を可能にしている。
【先行技術文献】
【特許文献】
【０００３】
【特許文献１】特開２０１０−２５０４６３号公報
【発明の概要】
【発明が解決しようとする課題】
【０００４】
ユーザの要望として、オブジェクトや写真データなどのデータを他の端末に移動（またはコピー）したい場合があり、その場合、移動したいオブジェクトを選択し、その後、宛先を入力し、若しくは宛先リストから一の宛先を選択することにより、データの移動を可能にしている。
【０００５】
しかしながら、このような操作は手間のかかるものであり、直感的な操作とは言い難く、決して操作性がよいものとはいえない。特許文献１に記載されているように、同一端末ないにおいてドラッグすることによりデータの移動をすることは考えられているが、異なる端末間においてデータの移動をさせることを想定したものではなく、データの直感的な移動を実現できない。
【０００６】
そこで、上述の課題を解決するために、本発明においては、データを直感的に移動させることができる携帯端末、データ送信システムおよびデータ送信方法を提供することを目的とする。
【課題を解決するための手段】
【００１５】
また、本発明の携帯端末は、データの表示を行うとともに、ユーザからの操作を受け付ける移動元タッチパネルと、前記移動元タッチパネルにおいて表示されているデータを選択する選択手段と、前記選択手段により選択されたデータを通信相手に送信する送信手段と、前記選択手段により選択されたデータの前記移動元タッチパネルにおける表示範囲のうち、任意の位置から当該タッチパネルの外端部に向けた移動元スライド操作を前記移動元タッチパネルにおいて検出する検出手段と、前記検出手段により当該移動元スライド操作を検出すると、当該移動元スライド操作に従った外端部方向に向けて前記データをスライド表示させるように、前記移動元タッチパネルを制御する表示制御手段と、を備え、前記送信手段は、前記表示制御手段による前記データのスライド表示を行う前に、前記データの送信を完了している送信側携帯端末と通信接続する携帯端末において、前記送信側携帯端末からデータを受信する受信手段と、前記受信手段により受信されたデータを記憶する記憶手段と、データの表示を行うとともに、ユーザからの操作を受け付ける移動先タッチパネルと、前記移動先タッチパネルにおいて、当該移動先タッチパネルの外端部から内側に向けた移動先スライド操作を検出する移動先検出手段と、前記移動先検出手段により当該移動先スライド操作を検出すると、前記記憶手段に記憶されているデータを、前記移動先スライド操作に従った外端部から内側に向けた方向にスライド表示させるように、前記タッチパネルを制御する移動先表示制御手段と、を備えている。
【００１６】
この発明によれば、上記移動元携帯端末からデータを受信し、受信されたデータを記憶する。そして、移動先タッチパネルにおいて、当該移動先タッチパネルの外端部から内側に向けた移動先スライド操作を検出すると、記憶されているデータを、移動先スライド操作に従った外端部から内側に向けた方向にスライド表示させるように、タッチパネルを制御する。これにより、直感的な操作で、データを移動元から受信することができ、事前に移動元からデータを受信しているため、移動先においてもデータのスライド表示を行うことができ、ユーザは直感的な操作を実感することができる。
【００１７】
また、本発明の携帯端末は、前記記憶手段に記憶されているデータを削除する削除手段をさらに備え、前記受信手段は、上記移動元の携帯端末において移動元スライド操作が行われた旨の通知、当該通知が送信された時刻、若しくは移動元スライド操作が行われた時刻を受信し、前記通知が送信された時刻、前記通知が受信された時刻、または移動元スライド操作が行われた時刻のいずれかを基準時として所定時間内に、前記移動先スライド操作が行われると、前記移動先表示制御手段は、前記タッチパネルにおいてデータのスライド表示を行い、所定時間内に、前記移動先スライド操作が行われないと、前記移動先表示制御手段による前記タッチパネルにおいてデータのスライド表示を行うことなく、前記削除手段は、前記データを前記記憶手段から削除することが好ましい。
【００１８】
この発明によれば、移動元携帯端末において移動元スライド操作が行われた旨の通知、当該通知が送信された時刻、若しくは移動元スライド操作が行われた時刻を受信し、通知が送信された時刻、通知が受信された時刻、または移動元スライド操作が行われた時刻のいずれかを基準時として所定時間内に、移動先スライド操作が行われると、タッチパネルにおいてデータのスライド表示を行い、所定時間内に、移動先スライド操作が行われないと、タッチパネルにおいてデータのスライド表示を行うことなく、データは削除される。これにより、直感的な操作を実現するために、データの先送り処理をした場合において、データの送信操作が実行されなかった場合の、問題を解消することができる。すなわち、ユーザは、選択操作はしたが、結局スライド操作をせずに、データを送る操作をしなかった場合でも、データは移動先携帯端末に送信されてしまうという問題があったが、基準時から所定時間内でデータは削除されることになり、結果的に移動先携帯端末にはデータは送信されないことになる。
【００１９】
また、本発明の携帯端末は、所定の条件の下において、前記タッチパネルにおいて、予め用意されたダミーデータがスライド表示されることが好ましい。
【００２０】
この発明によれば、所定の条件の下において、例えばダミーデータがスライド表示されたことの通知があった場合や、スライド表示の対象となるデータの受信が完了していない場合には、タッチパネルにおいて、予め用意されたダミーデータがスライド表示される。よって、データの送信が完了できないようなデータについても、直感的な操作を可能にする。
【００２１】
また、本発明の携帯端末は、位置情報を測位する移動先測位手段をさらに備え、前記受信手段は、ネットワーク上に配置されている中継サーバを介して、通信相手からデータを受信し、当該受信に先立って、前記中継サーバに対して、スライド表示をさせるための機能を起動したことを示す起動情報および前記移動先測位手段により測位された位置情報を通知することが好ましい。
【００２２】
この発明によれば、ネットワーク上に配置されている中継サーバを介して、通信相手にデータを受信し、当該受信に先立って、中継サーバに対して、スライド表示をさせるための機能を起動したことを示す起動情報および測位された位置情報を通知することで、中継サーバにおいて、データの送信処理を実行しようとする移動先および移動元の携帯端末の組み合わせを特定することができる。
【００２３】
また、本発明のデータ送信システムは、移動元携帯端末と、移動先携帯端末と、中継サーバとからなるデータ送信システムにおいて、前記移動元携帯端末は、位置情報を測位する移動元測位手段と、予め定められたデータ送信機能を起動する移動元起動手段と、前記移動元測位手段により測位された位置情報、前記移動元起動手段によりデータ送信機能が起動された旨を示す起動情報を、前記中継サーバに通知する移動元通知手段と、データの表示を行うとともに、ユーザからの操作を受け付ける移動元タッチパネルと、前記移動元タッチパネルにおいて表示されているデータを選択する選択手段と、前記選択手段により選択されたデータを前記中継サーバに送信する送信手段と、前記選択手段により選択されたデータの前記移動元タッチパネルにおける表示範囲のうち、任意の位置から当該タッチパネルの外端部に向けた移動元スライド操作を前記移動元タッチパネルにおいて検出する検出手段と、前記検出手段により当該移動元スライド操作を検出すると、当該移動元スライド操作に従った外端部方向に向けて前記データをスライド表示させるように、前記移動元タッチパネルを制御する表示制御手段と、を備え、前記移動先携帯端末は、位置情報を測位する移動先測位手段と、予め定められたデータ送信機能を起動する移動先起動手段と、前記移動先測位手段により測位された位置情報および前記移動先起動手段によりデータ送信機能が起動された旨を示す起動情報を、前記中継サーバに通知する移動先通知手段と、前記移動元携帯端末からデータを受信する受信手段と、前記受信手段により受信されたデータを記憶する記憶手段と、データの表示を行うとともに、ユーザからの操作を受け付ける移動先タッチパネルと、前記移動先タッチパネルにおいて、当該移動先タッチパネルの外端部から内側に向けた移動先スライド操作を検出する移動先検出手段と、前記移動先検出手段により当該移動先スライド操作を検出すると、前記記憶手段に記憶されているデータを、前記移動先スライド操作に従った外端部から内側に向けた方向にスライド表示させるように、前記タッチパネルを制御する移動先表示制御手段と、を備え、前記中継サーバは、前記移動元携帯端末の識別情報、位置情報および起動情報、前記移動先携帯端末の識別情報、位置情報、および起動情報を受信する受信手段と、前記受信手段により受信された各位置情報、起動情報および起動情報に基づいて、前記移動元携帯端末および前記移動先携帯端末の組み合わせを特定する特定手段と、前記移動元携帯端末からデータを受信すると、前記特定手段により組み合わせが特定された移動先携帯端末に対してデータを転送する中継手段と、を備えている。
【００２４】
この発明によれば、移動元携帯端末および移動先携帯端末のそれぞれが、位置情報およびデータ送信機能が起動された旨を示す起動情報を中継サーバに通知し、中継サーバにおいては、これら情報に基づいて、携帯端末の組み合わせを特定することができる。よって、簡単な操作で移動元携帯端末および移動先携帯端末の組み合わせを決定することができるとともに、直感的な操作をもってデータの送信処理を行うことができる。
【００２５】
また、本発明は、方法の発明として捉えることもできる。その作用効果は、携帯端末およびデータ送信システムと同じである。すなわち、本発明のデータ送信方法は、データの表示を行うとともに、ユーザからの操作を受け付ける移動元タッチパネルを有する移動元携帯端末、およびデータの表示を行うとともに、ユーザからの操作を受け付ける移動先タッチパネルを有する移動先携帯端末を利用したデータ送信方法において、前記移動元タッチパネルにおいて表示されているデータを選択する選択ステップと、前記選択ステップにより選択されたデータを通信相手に送信する送信ステップと、前記選択ステップにより選択されたデータの前記移動元タッチパネルにおける表示範囲のうち、任意の位置から当該タッチパネルの外端部に向けた移動元スライド操作を前記移動元タッチパネルにおいて検出する検出ステップと、前記検出ステップにより当該移動元スライド操作を検出すると、当該移動元スライド操作に従った外端部方向に向けて前記データをスライド表示させるように、前記移動元タッチパネルを制御する移動元表示制御ステップと、を備え、移動元携帯端末からデータを受信する受信ステップと、前記受信ステップにより受信されたデータを記憶手段に記憶する記憶ステップと、データの表示を行うとともに、ユーザからの操作を受け付ける移動先タッチパネルと、前記移動先タッチパネルにおいて、当該移動先タッチパネルの外端部から内側に向けた移動先スライド操作を検出する移動先検出ステップと、前記移動先検出ステップにより当該移動先スライド操作を検出すると、前記記憶手段に記憶されているデータを、前記移動先スライド操作に従った外端部から内側に向けた方向にスライド表示させるように、前記タッチパネルを制御する移動先表示制御ステップと、を備え、前記送信ステップは、前記移動元表示制御ステップによる前記データのスライド表示を行う前に、前記データの送信を完了していることを特徴とする。
【００２６】
また、本発明のデータ送信方法は、データの表示を行うとともに、ユーザからの操作を受け付ける移動元タッチパネルを有する移動元携帯端末と、データの表示を行うとともに、ユーザからの操作を受け付ける移動先タッチパネルを有する移動先携帯端末と、中継サーバとからなるデータ送信システムのデータ送信方法において、前記移動元携帯端末は、位置情報を測位する移動元測位ステップと、予め定められたデータ送信機能を起動する移動元起動ステップと、前記移動元測位ステップにより測位された位置情報および前記移動元起動ステップによりデータ送信機能が起動された旨を、前記中継サーバに通知する移動元通知ステップと、前記移動元タッチパネルにおいて表示されているデータを選択する選択ステップと、前記選択ステップにより選択されたデータを前記中継サーバに送信する送信ステップと、前記選択ステップにより選択されたデータの前記移動元タッチパネルにおける表示範囲のうち、任意の位置から当該タッチパネルの外端部に向けた移動元スライド操作を前記移動元タッチパネルにおいて検出する移動元検出ステップと、前記検出ステップにより当該移動元スライド操作を検出すると、当該移動元スライド操作に従った外端部方向に向けて前記データをスライド表示させるように、前記移動元タッチパネルを制御する移動元表示制御ステップと、を備え、前記移動先携帯端末は、位置情報を測位する移動先測位ステップと、予め定められたデータ送信機能を起動する移動先起動ステップと、前記移動先測位ステップにより測位された位置情報および前記移動先起動ステップによりデータ送信機能が起動された旨を示す起動情報、前記中継サーバに通知する移動先通知ステップと、前記移動元携帯端末からデータを受信する受信ステップと、前記受信ステップにより受信されたデータを記憶手段に記憶する記憶ステップと、前記移動先タッチパネルにおいて、当該移動先タッチパネルの外端部から内側に向けた移動先スライド操作を検出する移動先検出ステップと、前記移動先検出ステップにより当該移動先スライド操作を検出すると、前記記憶手段に記憶されているデータを、前記移動先スライド操作に従った外端部から内側に向けた方向にスライド表示させるように、前記タッチパネルを制御する移動先表示制御ステップと、を備え、前記中継サーバは、前記移動元携帯端末の識別情報、位置情報および起動情報、前記移動先携帯端末の識別情報、位置情報および起動情報を受信する受信ステップと、前記受信ステップにより受信された各位置情報および起動情報に基づいて、前記移動元携帯端末および前記移動先携帯端末の組み合わせを特定する特定ステップと、前記移動元携帯端末からデータを受信すると、前記特定ステップにより組み合わせが特定された移動先携帯端末に対してデータを転送する中継ステップと、を備えている。
【発明の効果】
【００２７】
本発明によれば、直感的な操作で、データを移動元から移動先に送信することができ、事前に移動先にデータを送信しているため、移動先においてもデータのスライド表示を行うことができ、ユーザは直感的な操作を実感することができる。
【図面の簡単な説明】
【００２８】
【図１】本実施形態の携帯端末１００ａおよび携帯端末１００ｂを用いたシステム構成を示すシステム構成図である。
【図２】、携帯端末１００ａの機能構成を示すブロック図である。
【図３】携帯端末１００ａのハードウェア構成図である。
【図４】この携帯端末１００ｂの機能構成を示すブロック図である。
【図５】本実施形態において構成されたデータ送信システム（携帯端末１００ａおよび携帯端末１００ｂ）の処理を示すフローチャートである。
【図６】本実施形態の変形例における携帯端末１００ａおよび携帯端末１００ｂのデータ送信のフローチャートを示す。
【図７】携帯端末１００ａと携帯端末１００ｂとを横に並べたときの操作の具体例を示す説明図である。
【図８】携帯端末１００ａと携帯端末１００ｂとを縦に並べたときの操作の具体例を示す説明図である。
【図９】移動先となる携帯端末が２台あった場合における具体例を示す説明図である。
【図１０】第二の実施形態のデータ送信システムのシステム構成図である。
【図１１】携帯端末１００ｄの機能構成を示すブロック図である。
【図１２】携帯端末１００ｅの機能構成を示すブロック図である。
【図１３】中継サーバ２００の機能構成を示すブロック図である。
【図１４】管理テーブル２０３の具体例を示す説明図である。
【図１５】本実施形態のデータ送信システムの処理を示すフローチャートである。
【図１６】本実施形態の変形例における処理を示すフローチャートである。
【発明を実施するための形態】
【００２９】
添付図面を参照しながら本発明の実施形態を説明する。可能な場合には、同一の部分には同一の符号を付して、重複する説明を省略する。
【００３０】
＜第一の実施形態＞
図１は、本実施形態の携帯端末１００ａおよび携帯端末１００ｂを用いたシステム構成を示すシステム構成図である。図１に示されるとおり、携帯端末１００ａがデータの移動元の携帯端末となり、携帯端末１００ｂがデータの移動先の携帯端末となる。そして、携帯端末１００ａから携帯端末１００ｂに対して、選択されたデータが送信される。なお、以降、データの移動とは、移動元からデータを削除して送信するもののほか、データのコピー等、単に移動元からデータを削除することなく、移動先に送信することを含むものとする。
【００３１】
この携帯端末１００ａおよび携帯端末１００ｂについて説明する。図２は、携帯端末１００ａの機能構成を示すブロック図である。この携帯端末１００ａは、タッチパネル１０１ａ、アプリケーション１０２ａ、近距離無線通信部１０７ａ（送信手段）、および記憶部１０８ａを含んで構成されている。さらにこのアプリケーション１０２ａは、選択部１０３ａ（選択手段）、検出部１０４ａ（検出手段）、および表示制御部１０５ａ（表示制御手段）を含んで構成されている。このアプリケーション１０２ａは、データ送信機能を実行するためのものである。
【００３２】
このように構成された携帯端末１００ａは、図３に示されるハードウェアにより構成される。図３は、携帯端末１００ａのハードウェア構成図である。図２に示される携帯端末１００ａは、物理的には、図３に示すように、ＣＰＵ１１、主記憶装置であるＲＡＭ１２及びＲＯＭ１３、入力デバイスでありディスプレイであるタッチパネル１０１ａ、ネットワークカード等のデータ送受信デバイスである通信モジュール１６、半導体メモリ等の補助記憶装置１７などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとでタッチパネル１０１ａ、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００３３】
タッチパネル１０１ａは、ユーザからのパネルに対するタッチ操作を受け付け、その座標情報を入力する入力手段として機能するとともに、アイコンや写真などのデータを表示する表示手段として機能する部分である。本実施形態においては、タッチパネル１０１ａは、表示されているアイコンや写真などのデータに対して、ユーザから指等によるタッチを受け付け、タッチされた状態でスライド操作を受け付けると、当該データを移動し、そのスライド操作に従った方向にスライド表示する。
【００３４】
アプリケーション１０２ａは、データを転送するためのデータ送信アプリケーションであり、ユーザにより選択されたデータを、通信相手に対して送信するとともに、タッチパネル１０１ａにおいてスライド操作（またはドラッグ操作とも言う）された方向に従って、タッチパネル１０１ａにおいてデータをスライド表示させるものである。このアプリケーション１０２ａが起動されると、外部装置を探索するために、近距離無線通信部１０７ａによる探索処理が行われ、外部装置である携帯端末１００ｂが探索される。以下、アプリケーション１０２ａを構成する各構成要素について説明する。
【００３５】
選択部１０３ａは、タッチパネル１０１ａにおいて表示されているデータを、当該タッチパネル１０１ａにおいてユーザによりタッチ操作されたことが検出されたことにより選択する部分である。選択部１０３ａにおいて選択されたデータは、近距離無線通信部１０７ａにより外部装置（本実施形態では携帯端末１００ｂ）に送信される。なお、移動先においてデータを特定しやすいようにデータの識別情報を付与して送信してもよい。
【００３６】
検出部１０４ａは、タッチパネル１０１ａにおいて、ユーザにより操作された操作内容を検出する部分であり、例えば、ユーザが、選択部１０３ａにより選択されたデータをスライド操作したか否か、かつそのスライド操作した方向は、タッチパネル１０１ａの内側から外縁方向に向けた方向であるか否かを判断する部分である。具体的には、検出部１０４ａは、タッチパネル１０１ａにおけるタッチされた座標に基づいてその方向を判断することができる。
【００３７】
表示制御部１０５ａは、検出部１０４ａにおいて検出されたスライド操作に従った方向に、データをスライド表示するようタッチパネル１０１ａにおける表示を制御する部分である。
【００３８】
近距離無線通信部１０７ａは、アプリケーション１０２ａが起動したときに、周囲にいる外部装置である携帯端末１００ｂを探索し、通信接続するとともに、検出部１０４ａにおける検出処理に先立って、選択部１０３ａにおいて選択されたデータを送信する部分である。例えば、ブルートゥースなどの近距離無線通信を実行するものである。また、検出部１０４ａにおいて、タッチパネル１０１ａに対してスライド操作をしたことを検出した場合には、その検出したスライド操作時刻を、近距離無線通信部１０７ａは、携帯端末１００ｂに送信するようにしてもよい。
【００３９】
なお、データを送信する際に、携帯端末１００ｂにおいて、データのスライド操作を検出するための基準時となる、携帯端末１００ａにおいてデータを選択した選択時刻や、データを送信した送信時刻などを含めるようにしてもよい。
【００４０】
記憶部１０８ａは、写真データなどの各種データを記憶する部分である。この記憶部１０８ａに記憶されているデータは、タッチパネル１０１ａに表示され、ユーザにより選択可能な状態に表示される。なお、この記憶部１０８ａは、送信対象となるデータが所定サイズ以上である場合に用いられる、スライド表示のためのダミーデータを記憶するように構成されてもよい。
【００４１】
このように構成された携帯端末１００ａにおいて、タッチパネル１０１ａに写真データなどのデータが表示され、ユーザのタッチ操作に従って、選択部１０３ａにより一のデータが選択される。そして、選択部１０３ａにおいて選択されたデータは、ユーザによるスライド操作が検出部１０４ａにより検出されることに先だって、近距離無線通信部１０７ａにより携帯端末１００ｂに送信される。そして、送信後若しくは送信処理に並行してユーザによりスライド操作が行われると、そのスライド操作の方向に表示制御部１０５ａはデータのスライド表示を行うことができる。
【００４２】
つぎに、データの移動先となる携帯端末１００ｂについて説明する。図４は、この携帯端末１００ｂの機能構成を示すブロック図である。図４に示されるように携帯端末１００ｂは、タッチパネル１０１ｂ（移動先タッチパネル）、アプリケーション１０２ｂ、近距離無線通信部１０７ｂ（受信手段）、および記憶部１０８ｂ(記憶手段)を含んで構成されている。さらにこのアプリケーション１０２ｂは、検出部１０４ａ（移動先検出手段）、表示制御部１０５ａ（移動先表示制御手段）、および削除部１０６ｂ（削除手段）を含んで構成されている。このアプリケーション１０２ｂは、データ送信機能を実行するためのものである。なお、データの移動元となる携帯端末１００ａとそのハードウェア構成は同じであり、例えば、図３に示されたハードウェア構成をとるものである。
【００４３】
タッチパネル１０１ｂはユーザからのパネルに対するタッチ操作を受け付け、その座標情報を入力する入力手段として機能するとともに、データを表示する表示手段として機能する部分である。
【００４４】
アプリケーション１０２ｂは、写真データなどのデータを転送するためのデータ送信アプリケーションであり、携帯端末１００ａのユーザにより選択され、送信されたデータを、受信するとともに、スライド表示させる制御を行うものである。以下、アプリケーション１０２ｂを構成する各構成要素について説明する。
【００４５】
検出部１０４ｂは、タッチパネル１０１ｂにおいて、ユーザにより操作された操作内容を検出する部分であり、例えば、ユーザが、近距離無線通信部１０７ｂにおいてデータを受信し、その後、スライド操作をしたスライド操作時刻を受信した後、タッチパネル１０１ｂに対してスライド操作したか否か、かつそのスライド操作した方向は、タッチパネル１０１ａの外縁部分から内側へ向けた方向であるか否かを判断する部分である。さらに、検出部１０４ｂは、当該スライド操作が、携帯端末１００ａにおいてスライド操作したスライド操作時刻を基準時として、所定時間以内に行われたか否かを判断する。なお、スライド操作時刻に基づいた判断に限るものではなく、データの受信後所定時間内、若しくは、携帯端末１００ａにおいてデータ選択若しくはデータ送信した時点を基準時として所定時間内に行われたか、否かを判断するようにしてもよい。
【００４６】
なお、この所定時間は、ユーザが携帯端末１００ａと携帯端末１００ｂとを、タッチパネル１０１ａおよび１０１ｂを上面にして並べて、携帯端末１００ａから携帯端末１００ｂに対してスライド操作（ドラッグ操作）するのに必要な時間であればよく、０．５秒から１秒程度の時間である。また、この時間は設定値であり、端末の大きさなどに応じて、適切な時間を設定することが好ましい。
【００４７】
表示制御部１０５ｂは、近距離無線通信部１０７ｂにおいて受信され、すでに記憶部１０８ｂに記憶されているデータを、検出部１０４ｂにおいて検出されたスライド操作の方向に従って、タッチパネル１０１ｂにおいてスライド表示させる部分である。表示制御部１０５ｂは、記憶部１０８ｂからデータを取得し、表示処理を行う。なお、この記憶部１０８ｂには、移動元の携帯端末１００ａにおいて選択されたデータが一つだけ記憶されているように構成されている。
【００４８】
削除部１０６ｂは、検出部１０４ｂにおいて、基準時から所定時間内にスライド操作を検出できなかった場合に、対応するデータを記憶部１０８ｂから削除する部分である。すなわち、記憶部１０８ｂにおいては、データとともに、上述した基準時を示す時刻が記憶されており、削除部１０６ｂが、その時刻が所定時間を超えていると判断した場合に、データを記憶部１０８ｂから削除する。
【００４９】
記憶部１０８ｂは、写真データなどの各種データを記憶する部分であり、近距離無線通信部１０７ｂにより受信されたデータを、そのスライド操作時刻等の基準時を示す時刻情報と対応付けて一時記憶する部分である。この記憶部１０８ａに記憶されているデータは、ユーザによるスライド操作時に、タッチパネル１０１ｂにスライド表示される。なお、この記憶部１０８ａは、一のデータのみを記憶することで、表示制御部１０５ｂは、タッチパネル１０１ｂにおいてスライド表示されるときに用いられるデータを必然的に一つの決定することができる。
【００５０】
なお、送信対象となるデータが所定サイズ以上である場合に用いられる、スライド表示のためのダミーデータを記憶するように構成されてもよいが、スライド表示対象となるデータと区別して記憶する必要がある。
【００５１】
近距離無線通信部１０７ｂは、近距離無線通信部１０７ａと同等の機能を有するものであって、携帯端末１００ａから送信されたデータ、スライド操作をした旨などの各種情報を、ブルートゥースを利用して受信し、記憶部１０８ｂに記憶する。
【００５２】
このようにして、携帯端末１００ｂは、まず携帯端末１００ａにおいて選択されたデータを受信し、一旦記憶部１０８ｂに記憶しておき、その後、検出部１０４ｂにおいてタッチパネル１０１ｂにおいて、基準時から所定時間内にスライド操作がされたことを検出すると、対応するデータをタッチパネル１０１ｂにスライド表示させることができる。これにより、直感的な操作によってデータを移動させることができるとともに、データの移動を直感的に把握することができる。
【００５３】
なお、上述携帯端末１００ａは、識別情報の通知を行い、携帯端末１００ｂにおいては、その識別情報を受信して、記憶し、移動対象となるデータの識別情報を共有するようにしてもよい。そうすることにより、複数のデータを扱うことを可能にする。
【００５４】
つぎに、このように構成された携帯端末１００ａおよび携帯端末１００ｂの処理について説明する。図５は、本実施形態において構成されたデータ送信システム（携帯端末１００ａおよび携帯端末１００ｂ）の処理を示すフローチャートである。
【００５５】
まず、携帯端末１００ａおよび携帯端末１００ｂにおいて、それぞれアプリケーション１０２ａおよびアプリケーション１０２ｂがユーザ操作により起動される（Ｓ１０１）。そして、これらアプリケーション１０２ａおよびアプリケーション１０２ｂが起動されると、近距離無線通信部１０７ａおよび近距離無線通信部１０７ｂによるブルートゥースによる接続処理が行われる（Ｓ１０２）。この接続処理では、データの移動元である携帯端末１００ａが、周囲にいる携帯端末１００ｂを探索し、通信相手として選択をする（Ｓ１０３）。この選択処理はユーザによる操作により行われてもよいし、探索した全てのユーザを選択してもよし、所定の条件（例えば、電話帳に登録されている端末など）に基づいて自動的に行われてもよい。
【００５６】
そして、ブルートゥースの通信接続が完了すると（Ｓ１０４）、タッチパネル１０１ａにおいて記憶部１０８ａに記憶されているデータの一覧（または、サムネイル形式若しくは、選択可能に切り替えられるもの）が表示される（Ｓ１０５）。そして、ユーザはその一覧をみながら、タッチパネル１０１ａを介して選択操作を行い、選択部１０３ａにより選択が行われる（Ｓ１０６）。選択部１０３ａによる選択後、近距離無線通信部１０７ａにより、Ｓ１０３において選択された通信相手（ここでは携帯端末１００ｂ）にデータが送信される（Ｓ１０７）。なお、送信されるデータには、後述するスライド時刻に代えて、携帯端末１００ｂにおいてスライド操作を検出するための基準時となる、データを選択した時刻や、データを送信した時刻などを含めるようにしてもよい。
【００５７】
携帯端末１００ｂにおいて、近距離無線通信部１０７ｂによりデータが受信され（Ｓ１０８）、記憶部１０８ｂに一旦データは記憶される（Ｓ１０９）。
【００５８】
一方、携帯端末１００ａにおいて、選択されたデータの送信後、タッチパネル１０１ａにおいて、選択対象となるデータが表示されている範囲からタッチパネル１０１ａの外縁部に向けたスライド操作の有無が判断され、そのスライド操作の方向に応じたスライド表示が表示制御部１０５ａにより行われるとともに、スライド操作をしたスライド操作時刻が携帯端末１００ｂに送信される（Ｓ１１０）。
【００５９】
携帯端末１００ｂにおいて、タッチパネル１０１ｂにおいて、その外縁部から内側に向けたスライド操作の有無が判断される（Ｓ１１１）。そして、当該スライド操作が、携帯端末１００ａにおけるスライド操作を行ったスライド操作時刻（基準時）から所定時間以内であるか否かが、検出部１０４ｂにおいて判断される（Ｓ１１２）。そして、所定時間以内であると判断される場合には、記憶部１０８ｂからデータが読み出され、表示制御部１０５ｂによりタッチパネル１０１ｂにおいてデータはスライド表示されるとともに、記憶部１０８ｂにおいてデータは記憶された状態が維持される（Ｓ１１３）。なお、記憶部１０８ｂには、データが一つしかないため、データを特定する必要はない。すなわち、スライド操作を検出した時点で、上述の基準時の判断処理を行った後に、唯一記憶されている一のデータを読み出せばよいのである。
【００６０】
また、基準時から所定時間以内にスライド操作はないと、検出部１０４ｂにおいて判断されると（Ｓ１１２：ＮＯ、Ｓ１１１：ＮＯ）、削除部１０６ｂにより、該当するデータは記憶部１０８ｂから削除される（Ｓ１１４）。
【００６１】
このようにして、ユーザは、移動したデータをスライド操作することにより、データの移動を実行するとともに、その移動の状態を直感的に理解できる状態で表示させることができる。
【００６２】
つぎに、本実施形態の変形例について説明する。この変形例においては、移動しようとするデータが大容量であって、スライド操作をしている間に、データの送信が完了しない場合には、実際に送信対象となるデータを表示するのではなく、ダミーデータを表示しようとするものである。このダミーデータの表示形態には特に規定はないが、送信対象となるデータを模したものがよい。例えば写真データであれば、写真データであることが分かるようなデータがよい。図６は、本実施形態の変形例における携帯端末１００ａおよび携帯端末１００ｂのデータ送信のフローチャートを示す。
【００６３】
Ｓ１０１からＳ１０８までは、図５に示される処理と同じである。そして、近距離無線通信部１０７ａにより選択されたデータが送信されると、その送信されたデータのサイズが所定サイズ以下であるか否かが、表示制御部１０５ａにより判断される（Ｓ１０７ａ）。そして、所定サイズ以下ではない場合には、表示制御部１０５ａにより記憶部１０８ａに記憶されているダミーデータが取得される。ユーザによりスライド操作が行われると、表示制御部１０５ａにより、ダミーデータは、そのスライド方向に従ってスライド表示されるとともに、スライド操作をしたスライド操作時刻が携帯端末１００ｅに送信される（Ｓ１１０）。また、所定サイズ以下である場合には、検出部１０４ａによりスライド操作が検出されると、表示制御部１０５ａにより、選択されたデータのスライド表示が行われる。
【００６４】
携帯端末１００ｂにおいて、タッチパネル１０１ｂに対して、その外縁部から内側に向けたスライド操作の有無が検出部１０４ｂにより、判断される（Ｓ１１１）。そして、当該スライド操作が、携帯端末１００ａにおけるスライド操作の基準時から所定時間以内であるか否かが、検出部１０４ｂにおいて判断される（Ｓ１１２）。そして、所定時間以内であると判断される場合には、表示制御部１０５ｂによりタッチパネル１０１ｂにおいてダミーデータが記憶部１０８ｂから取得され、表示制御部１０５ｂにより、ダミーデータはスライド表示されるとともに、記憶部１０８ｂにおいてデータは記憶された状態が維持される（Ｓ１１３）。なお、ダミーデータを利用するか否かは、記憶部１０８ｂにおいて記憶されているデータが所定サイズ以上である場合、若しくはデータの受信（若しくは記憶）が完了していない場合には、ダミーデータを利用するものと判断する。
【００６５】
また、基準時から所定時間以内にスライド操作がなかった場合には（Ｓ１１２：ＮＯ、Ｓ１１１：ＮＯ）、検出部１０４ｂにおいて判断されると、削除部１０６ｂにより、該当するデータは記憶部１０８ｂから削除される（Ｓ１１４）。
【００６６】
このようにして、データサイズが所定サイズ以上である場合には、近距離無線通信によるデータ送信が完了しない場合が想定される。そのため、移動先となる携帯端末１００ｂにおいて、スライド表示させるデータがない場合があるため、ダミーデータを用いることで、直感的なデータの移動を可能にするものである。なお、移動先と、移動元において、データの視覚的形態が異なると直感的な操作を担保できないため、移動元においてもダミーデータを用いることが好ましい。
【００６７】
なお、通常、ブルートゥースの最大速度は３Ｍｂｐｓであり、３ＭＢのファイルを８秒で送信することができる。よって、ここでの所定サイズは、２秒程度で送信が完了できる時間のサイズを設定しておくことが好ましいが、当然これに限定されるものではない。
【００６８】
本実施形態の携帯端末１００ａおよび携帯端末１００ｂによる操作の具体例について説明する。図７および図８は、操作を示す具体例を示す説明図であり、図７は、携帯端末１００ａと携帯端末１００ｂとを横に並べたときの操作の具体例を示し、図８は、携帯端末１００ａと携帯端末１００ｂとを縦に並べたときの操作の具体例を示す。
【００６９】
図７（ａ）に示されるとおり、携帯端末１００ａには、データＤ１が表示されている。このデータＤ１は、記憶部１０８ａに記憶されているデータである。これをユーザはタッチ（選択）し、右方向にスライド操作することにより、データＤ１は、スライド表示される（図７（ｂ））。タッチパネル１０１ａからはみ出したデータＤ１については表示されない。
【００７０】
一方、図７（ｂ）に示されるとおり、携帯端末１００ｂにおいては、ユーザの指がタッチパネル１０１ｂに接触して、スライド操作されたことが検出されると、記憶部１０８ｂからデータＤ２が読み出され、そのユーザのスライド操作に応じてスライド表示される。上述したとおり、記憶部１０８ｂには、データＤ２のみが記憶されているためそのデータのみを取り出せばよい。
【００７１】
そして、図７（ｃ）に示されるとおり、携帯端末１００ｂにおいて、スライド操作が完了して、タッチパネル１０１ｂのほぼ中央にデータＤ２が表示される。
【００７２】
このようにして、ユーザは指をタッチパネル１０１ａおよびタッチパネル１０１ｂに対して、表示されているデータをタッチして、データを特定し、そしてスライド操作することにより、直感的なデータの移動を行うことができる。
【００７３】
なお、携帯端末１００ａおよび携帯端末１００ｂの向きをそろえてスライド操作およびスライド表示させる場合には、データの表示向きを加工する必要はないが、互いに逆方向を向いている場合には、そのスライド表示されるデータの向きを加工することが好ましい。例えば、データが携帯端末１００ａの右側に向けてスライド表示される場合には、右側にスライドしている旨を、事前に（例えばスライド操作した時点）携帯端末１００ｂに通知しておき、携帯端末１００ｂにおいては、左右いずれの方向からスライド操作がなされたかを判断することにより、データの表示向きを加工する。
【００７４】
例えば、携帯端末１００ａにおいて右側に向けたスライド操作をされたことの通知を受け、その後、携帯端末１００ｂにおいて左側からスライド操作を検出すると、表示制御部１０５ｂは、そのままデータの表示向きを変えることなく、表示する。逆に、所定時間内に右側からスライド操作を受けたと判断した場合には、表示制御部１０５ｂは、携帯端末同士は互いに逆方向を向いていると判断して、携帯端末１００ｂにおいて表示されるデータを、上下を反対に（すなわち１８０度回転）して、表示させる。これにより、より直感的な操作を実感することができる。後述する図８等においても、同様に、携帯端末１００ａにおけるスライド方向と、携帯端末１００ｂにおけるスライド方向に基づいて、携帯端末１００ｂにおけるデータの表示向きを変えるようにする。
【００７５】
図８（ａ）から（ｃ）についても、同様であり、ユーザがデータＤ１についてスライド操作させることにより、携帯端末１００ａにおいては縦方向にデータＤ１がスライド表示され、携帯端末１００ｂにおいては、ユーザのスライド操作（タッチ位置）にしたがってデータＤ２が下からスライド表示される。
【００７６】
なお、データが携帯端末１００ａおよび携帯端末１００ｂを跨いでいるとき、すなわち、両端末にその一部（データＤ１およびデータＤ２のそれぞれの一部）が表示されているとき、データＤ１とデータＤ２とが結合されて、一枚のデータとして視認できることが望ましい。
【００７７】
そのために、携帯端末１００ａは、スライド操作の対象となるデータＤ１に対して、スライド操作をするためにタッチした位置（座標：スライド操作の始点）を、操作位置として携帯端末１００ｂに、事前に通知しておく。例えば、スライド操作をした時点（図５におけるＳ１１０の時点）が好ましい。そして、携帯端末１００ｂにおいては、その操作位置に基づいて、データＤ２をどの部分からスライド表示させるかを判断して、その操作位置に応じたデータＤ２を加工し、若しくは表示制御を行い、スライド表示を行うる。これにより、データが携帯端末１００ａおよび携帯端末１００ｂを跨いでいるときにも、データＤ１およびＤ２が結合されて、一つのデータとして視認することができる。
【００７８】
また、移動先となる携帯端末が２台あった場合も同様の処理が可能となる。図９はその具体例を示す説明図である。図９（ａ）に示されるとおり、移動元となる携帯端末１００ａの縦方向に携帯端末１００ｃが配置され、右隣に携帯端末１００ｂが配置されている。そして、データＤ１が送信対象として選択された場合、携帯端末１００ａは、携帯端末１００ｂおよび携帯端末１００ｃに送信する。それぞれ携帯端末１００ｂおよび携帯端末１００ｃは、データを一旦記憶する。なお、携帯端末１００ｃは、携帯端末１００ｂと同機能を有するデータの移動先となる端末である。
【００７９】
その後、図９（ｂ）に示されるとおり、携帯端末１００ａは、データＤ１を右方向にスライド操作を行い、スライド表示されつつ、携帯端末１００ｂでは、スライド操作のタッチを検出し、携帯端末１００ａにおけるスライド操作に引き続いて、携帯端末１００ｂにおいてもスライド表示を行う。
【００８０】
また、図９（ｃ）に示されるとおり、図９（ｂ）に示された携帯端末１００ｂに送信した後、携帯端末１００ａにおいて携帯端末１００ｃに向けてスライド操作を行うと、スライド表示され、携帯端末１００ｃにおいて、携帯端末１００ｂに対してスライド操作をした時点から所定時間内に、スライド操作が検出されると、データは携帯端末１００ｃから削除されることなく、スライド表示処理が行われる。
【００８１】
また、一方で、図９（ｄ）に示されるとおり、携帯端末１００ｃにおいて、携帯端末１００ｂに対してスライド操作をした時点から所定時間内に、スライド操作が検出されない場合には、データは携帯端末１００ｃから削除される。
【００８２】
このようにして、複数台移動先となる携帯端末があったとしても、適正にデータの移動を行うことができる。なお、本実施形態では、移動と称しているが、携帯端末１００ａにおいて、データを削除する必要はない。直感的にデータを指定して、移動させることができれば、移動に限らず、コピーや、送信という処理としてもよい。
【００８３】
つぎに、本実施形態の携帯端末１００ａおよび携帯端末１００ｂの作用効果について説明する。
【００８４】
本実施形態の携帯端末１００ａにおいて、選択部１０３ａは、移動元タッチパネルであるタッチパネル１０１ａにおいて表示されているデータをユーザの指示に基づいて選択し、近距離無線通信部１０７ａは、選択されたデータを通信相手である携帯端末１００ｂに送信する。その後、検出部１０４ａは、選択されたデータのタッチパネル１０１ａにおける表示範囲のうち、任意の位置から当該タッチパネルの外端部に向けた移動元スライド操作をタッチパネル１０１ａにおいて検出すると、表示制御部１０５ａは、当該移動元スライド操作に従った外端部方向に向けてデータをスライド表示させるように、タッチパネル１０１ａを制御する。これにより、直感的な操作で、データを移動元の携帯端末１００ａから移動先の携帯端末１００ｂに送信することができ、事前に移動先の携帯端末１００ｂにデータを送信しているため、移動先の携帯端末１００ｂにおいてもデータのスライド表示を行うことができ、ユーザは直感的な操作を実感することができる。
【００８５】
また、検出部１０４ａにおいて移動元スライド操作が検出されると、近距離無線通信部１０７ａは、携帯端末１００ｂに携帯端末１００ａにおいてスライド操作したこと、または移動元においてスライド操作した時刻を通知することができる。すなわち、移動先の携帯端末１００ｂにおいてデータ削除のための基準時となる時刻を通知することができる。
【００８６】
また、本実施形態の変形例における携帯端末１００ａにおいて、表示制御部１０５ａが、送信しようとするデータのファイルサイズが所定値以上であると判断する場合には、タッチパネル１０１ａにおいて、予め用意されたダミーデータをスライド表示させることで、データの送信が完了できない場合にも、直感的な操作を実現することができる。
【００８７】
また、本実施形態の携帯端末１００ｂにおいて、近距離無線通信部１０７ｂは、携帯端末１００ａからデータを受信し、記憶部１０８ｂは、受信されたデータを記憶する。そして、タッチパネル１０１ｂにおいて、検出部１０４ｂは、当該タッチパネル１０１ｂの外端部から内側に向けた移動先スライド操作を検出すると、表示制御部１０５ｂは、記憶部１０８ｂに記憶されているデータを、移動先スライド操作に従った外端部から内側に向けた方向にスライド表示させるように、タッチパネルを制御する。これにより、直感的な操作で、データを移動元から受信することができ、事前に移動元からデータを受信しているため、移動先においてもデータのスライド表示を行うことができ、ユーザは直感的な操作を実感することができる。
【００８８】
また、本実施形態の携帯端末１００ｂによれば、近距離無線通信部１０７ｂは、携帯端末１００ｂにおいて移動元スライド操作が行われた旨の通知、当該通知が送信された時刻、若しくは移動元スライド操作が行われた時刻を受信し、表示制御部１０５ｂが、通知が送信された時刻、通知が受信された時刻、または移動元スライド操作が行われた時刻のいずれかを基準時として所定時間内に、移動先スライド操作が行われたことを判断すると、タッチパネル１０１ｂにおいてデータのスライド表示を行い、所定時間内に、移動先スライド操作が行われないと、削除部１０６ｂは、タッチパネル１０１ｂにおいてデータのスライド表示を行うことなく、記憶部１０８ｂからデータを削除する。これにより、直感的な操作を実現するために、データの先送り処理をした場合において、データの送信操作が実行されなかった場合の、問題を解消することができる。すなわち、ユーザは、選択操作はしたが、結局スライド操作をせずに、データを送る操作をしなかった場合でも、データは移動先携帯端末に送信されてしまうという問題があったが、基準時から所定時間内でデータは削除されることになり、結果的に移動先携帯端末にはデータは送信されないことになる。
【００８９】
また、本実施形態の携帯端末１００ｂによれば、携帯端末１００ａにおいて、ダミーデータがスライド表示されたことの通知があった場合や、スライド表示の対象となるデータの受信が完了していない場合などの、所定の条件下においては、タッチパネル１０１ｂにおいて、記憶部１０８ｂにおいて予め記憶されたダミーデータがスライド表示される。よって、データの送信が完了できないようなデータについても、直感的な操作を可能にする。
【００９０】
＜第二の実施形態＞
つぎに、第二の実施形態の携帯端末１００ｃおよび携帯端末１００ｄから構成されるデータ送信システムについて説明する。図１０は、第二の実施形態のデータ送信システムのシステム構成図である。図１０に示されるとおり、データの移動元となる携帯端末１００ｄ、データの移動先となる携帯端末１００ｅ、およびネットワークＮを介してデータを中継する中継サーバ２００から構成されている。移動元の携帯端末１００ｄおよび移動先の携帯端末１００ｅは、所定の操作を行うことで、中継サーバ２００においては、携帯端末１００ｄおよび携帯端末１００ｅを対応付けて管理しておき、携帯端末１００ｄから受信したデータを携帯端末１００ｅに中継転送することができる。
【００９１】
このようなデータ送信システムにおける携帯端末１００ｄおよび携帯端末１００ｄの機能構成について説明する。図１１は、携帯端末１００ｄの機能構成を示すブロック図である。図１１に示されるとおり、携帯端末１００ｄは、タッチパネル１０１ａ、アプリケーション１０２ａ（移動元起動手段）、通信部１０７ｄ（送信手段、移動元通知手段）、記憶部１０８ａ、および位置測位部１０９ａ（移動元測位手段）を含んで構成されている。さらにこのアプリケーション１０２ａは、選択部１０３ａ、検出部１０４ａ、および表示制御部１０５ａを含んでおり、データ送信機能を実行するためのものである。この携帯端末１００ｄは、図３に示されるハードウェア構成により実現されている。
【００９２】
この携帯端末１００ｄは、近距離無線通信部１０７ａに代えて、通信部１０７ｄを備えており、さらに位置測位部１０９ａを備える点で、第一の実施形態における携帯端末１００ａと相違する。以下、この相違点について説明する。
【００９３】
位置測位部１０９ａは、ＧＰＳ（Global Positioning System）や、基地局などを利用して、端末の現在位置を測位する部分である。この位置測位部１０９ａは、アプリケーション１０２ａが起動したときに、位置測位処理を行う。
【００９４】
通信部１０７ｄは、中継サーバ２００と通信する部分であり、選択部１０３ａにおいて選択されたデータを中継サーバ２００に送信して、記憶させる。また、このデータ送信処理に先立って、通信部１０７ｄは、アプリケーション１０２ａが起動すると、位置測位部１０９ａにおいて位置測位されて得られた位置情報を中継サーバ２００に送信する。
【００９５】
このようにして構成された携帯端末１００ｄは、アプリケーション１０２ａが起動したタイミングに合わせて、位置測位部１０９ａは位置測位して端末の現在の位置情報を取得する。そして、通信部１０７ｄは、アプリケーション１０２ａが起動した旨を示す情報、その時刻情報とともに、位置情報を中継サーバ２００に送信する。
【００９６】
そして、ユーザ操作により写真データなどのデータが選択部１０３ａにおいて選択されると、通信部１０７ｄは、中継サーバ２００に送信する。その後、ユーザ操作によりスライド操作が検出部１０４ａにおいて検出されると、タッチパネル１０１ａは、表示制御部１０５ａの制御に従って、そのスライド操作に応じた方向にデータをスライド表示させる。
【００９７】
つぎに、携帯端末１００ｅについて説明する。図１２は、携帯端末１００ｅの機能構成を示すブロック図である。図１２に示されるように、携帯端末１００ｅは、タッチパネル１０１ｂ、アプリケーション１０２ｂ（移動先起動手段）、通信部１０７ｅ、記憶部１０８ｂ、および位置測位部１０９ｂ（移動先位置測位手段）を含んで構成されている。さらにこのアプリケーション１０２ｂは、検出部１０４ｂ、表示制御部１０５ｂ、および削除部１０６ｂを含んでおり、データ送信機能を実行するためのものである。この携帯端末１００ｅは、図３に示されるハードウェア構成により実現されている。
【００９８】
この携帯端末１００ｅは、近距離無線通信部１０７ｂに代えて、通信部１０７ｅ（受信手段、移動先通知手段）を備えており、さらに位置測位部１０９ｂ（移動先測位手段）を備える点で、第一の実施形態における携帯端末１００ｂと相違する。以下、この相違点について説明する。
【００９９】
位置測位部１０９ｂは、ＧＰＳ（Global Positioning System）や、基地局などを利用して、端末の現在位置を測位する部分である。この位置測位部１０９ｂは、アプリケーション１０２ｂが起動したときに、位置測位処理を行う。
【０１００】
通信部１０７ｅは、中継サーバ２００と通信する部分であり、中継サーバ２００から通信部１０７ｅにおいて受信されたデータを受信して、記憶部１０８ｂに記憶させる。また、このデータ受信処理に先立って、通信部１０７ｅは、アプリケーション１０２ｂが起動すると、位置測位部１０９ｂにおいて位置測位されて得られた位置情報を中継サーバ２００に送信する。
【０１０１】
このようにして構成された携帯端末１００ｅは、アプリケーション１０２ｂが起動したタイミングに合わせて、位置測位部１０９ｂは位置測位して端末の現在の位置情報を取得する。そして、通信部１０７ｅは、アプリケーション１０２ｂが起動した旨を示す情報、その時刻情報とともに、位置情報を中継サーバ２００に送信する。
【０１０２】
そして、携帯端末１００ａからデータが受信されると、記憶部１０８ｂが記憶し、その後、タッチパネル１０１ｂにおいて、ユーザ操作によりスライド操作が検出部１０４ｂにおいて検出されると、タッチパネル１０１ｂは、表示制御部１０５ｂの制御に従って、そのスライド操作に応じた方向にデータをスライド表示させる。また、データ受信後に、基準時点から所定時間以内にスライド操作が検出部１０４ｂにおいて検出されない場合には、記憶部１０８ｂからデータの削除が行われる。
【０１０３】
つぎに、これら携帯端末１００ａおよび携帯端末１００ｂと通信して、その組み合わせを管理するとともに、データの受け渡しを行う中継サーバ２００について説明する。図１３は、中継サーバ２００の機能構成を示すブロック図である。図１３に示されるように、中継サーバ２００は、通信部２０１（受信手段、中継手段）、制御部２０２（特定手段）、および管理テーブル２０３を含んで構成される。この中継サーバは、ＣＰＵ、ＲＡＭ、ＲＯＭ等から構成されるコンピュータシステムから構成されているものであり、ＲＯＭ等に記憶されているプログラムに従って制御部２０２および通信部２０１が動作するものである。
【０１０４】
通信部２０１は、携帯端末１００ｄおよび携帯端末１００ｅと通信接続する部分であり、携帯端末１００ｄからは、選択されたデータ、アプリケーション１０２ｂが起動した時刻情報、そのときの位置情報、アプリケーション１０２ｂが起動した旨を示す情報を受信し、携帯端末１００ｅからは、アプリケーション１０２ｂが起動した時刻情報、そのときの位置情報、アプリケーション１０２ｂが起動した旨を示す情報を受信するとともに、携帯端末１００ｅに対してデータの送信を行う部分である。
【０１０５】
制御部２０２は、通信部２０１において受信された位置情報、アプリケーション１０２ａおよびアプリケーション１０２ｂが、それぞれ起動した時刻、そのときの時刻情報、並びに起動した旨を示す情報を、管理テーブル２０３に記憶するとともに、携帯端末同士の組み合わせを決定する部分である。
【０１０６】
管理テーブル２０３は、アプリケーションが起動したことを示す情報、時刻情報、および位置情報を対応付けて記憶する部分であり、携帯端末１００ｄおよび携帯端末１００ｅの組み合わせを決定するための情報を記憶する部分である。なお、本実施形態においては、時刻情報をそれぞれの携帯端末１００ｄおよび携帯端末１００ｅから受信して記憶しているが、それに限るものではなく、アプリケーションの起動情報を受信したときの時刻情報を記憶するようにしてもよい。
【０１０７】
図１４は、その具体例を示す説明図である。図１４に示されるとおり、アプリケーションが起動していることを示す情報、その時刻情報、および位置情報が対応付けて記憶されている。制御部２０２は、アプリケーションが起動していることを示す情報として、チェック“○”が記述されており、時刻差が所定時間以内にあり、さらに位置情報がおおむね一致若しくは、所定値以内である場合に、その携帯端末同士は、データ移動の処理を行う組み合わせであると判断できる。
【０１０８】
このような中継サーバ２００は、携帯端末１００ｄおよび携帯端末１００ｅの組み合わせを適切に判断し、データの先送り処理を行うことができる。
【０１０９】
つぎに、このように構成された携帯端末１００ｄ、携帯端末１００ｅおよび中継サーバ２００からなるデータ送信システムの各処理について説明する。図１５は、データ送信システムの処理を示すフローチャートである。
【０１１０】
まず、携帯端末１００ｄおよび携帯端末１００ｅにおいて、それぞれ、位置情報がオン設定される（Ｓ２０１、Ｓ２０１ａ）。すなわち、ＧＰＳ機能がオン状態となる。そして、アプリケーション１０２ａおよびアプリケーション１０２ｂが起動され、位置測位部１０９ａおよび位置測位部１０９ｂにより、位置情報の取得処理が行われる。アプリケーションが起動した旨、その時刻情報、および測位した位置情報（以下、これら情報を登録情報と称する）が通信部１０７ｄおよび通信部１０７ｅにより、中継サーバ２００に送信される（Ｓ２０２、Ｓ２０２ａ）。
【０１１１】
中継サーバ２００においては、携帯端末１００ｄおよび携帯端末１００ｅにおいてそれぞれ送信された登録情報が、通信部２０１により受信され、管理テーブル２０３に記憶される。そして制御部２０２による判断に基づいて、携帯端末の組み合わせが決定される（Ｓ２０３）。
【０１１２】
そして、携帯端末１００ａにおいて、データ一覧がタッチパネル１０１ａに表示され（Ｓ２０４）、ユーザ操作により一のデータが選択され、そのまま自動的にデータは中継サーバ２００に送信される（Ｓ２０７）。中継サーバ２００の宛先は、アプリケーション１０２ａに記憶されているものであり、アプリケーション１０２ａが起動した時点で、データの選択処理が行われると、自動的に中継サーバ２００に送信されるように設定されている。
【０１１３】
中継サーバ２００においては、携帯端末１００ａからデータがその発信元情報とともに受信され、管理テーブル２０３に基づいて対応する宛先となる携帯端末１００ｅが決定され、通信部２０１によりそのまま中継転送される（Ｓ２０９）。
【０１１４】
携帯端末１００ｅにおいては、通信部１０７ｅによりデータが受信され、記憶部１０８ｂに記憶される（Ｓ２１１）。
【０１１５】
その後、携帯端末１００ｄにおいて、データの送信後、タッチパネル１０１ａにおいて、選択対象となるデータが表示されている範囲からタッチパネル１０１ａの外縁部に向けたスライド操作の有無が判断され、そのスライド操作の方向に応じたスライド表示が表示制御部１０５ａにより行われるとともに、スライド操作をしたスライド操作時刻を、中継サーバ２００を介して携帯端末１００ｅに送信する（Ｓ２１２）。
【０１１６】
携帯端末１００ｅにおいて、タッチパネル１０１ｂにおいて、その外縁部から内側に向けたスライド操作の有無が判断される（Ｓ２１３）。そして、当該スライド操作が、携帯端末１００ｅにおけるスライド操作の基準時から所定時間以内であるか否かが、検出部１０４ｂにおいて判断される（Ｓ２１４）。そして、所定時間以内であると判断される場合には、表示制御部１０５ｂによりタッチパネル１０１ｂにおいてデータはスライド表示されるとともに、記憶部１０８ｂにおいてデータは記憶された状態が維持される（Ｓ２１５）。
【０１１７】
また、基準時から所定時間以内にスライド操作はないと、検出部１０４ｂにおいて判断されると（Ｓ２１３：ＮＯ、Ｓ２１４：ＮＯ）、削除部１０６ｂにより、該当するデータは記憶部１０８ｂから削除される（Ｓ２１６）。
【０１１８】
その後、携帯端末１００ｄおよび携帯端末１００ｅのそれぞれにおいて、アプリケーション１０２ａおよびアプリケーション１０２ｂが終了処理されると（Ｓ２１７、Ｓ２１７ａ）、その旨が、中継サーバ２００に通知され、中継サーバ２００における管理テーブル２０３から、制御部２０２により、対応する組み合わせのユーザ情報が消去される。またＳ２０８において受信されたデータが記憶されている場合には、制御部２０２により、そのデータも削除される（Ｓ２１８）。
【０１１９】
このようにして、中継サーバ２００を使ったデータの移動処理を行うことができる。
【０１２０】
つぎに、この第二の実施形態のデータ送信システムの変形例について説明する。この変形例は、移動しようとするデータのデータサイズが所定値以上である場合には、ダミーデータをスライド表示させることにより直感的な移動処理を行わせようとするものである。図１６は、その変形例における処理を示すフローチャートである。
【０１２１】
ここでは、図１５との相違点に着目して説明する。Ｓ２０１からＳ２１１までは、図１５に示される処理と同じであり、中継サーバ２００において、携帯端末１００ｄおよび携帯端末１００ｅの組み合わせが決定され、携帯端末１００ｄにおいて選択されたデータは、携帯端末１００ｅに送信される。
【０１２２】
そして、携帯端末１００ｄにおいて、画像選択がされると、選択されたデータのデータサイズが所定値以下であるか否かが判断される（Ｓ２１１ａ）。所定値以下である場合には、選択されたデータを記憶部１０８ａから読み出し、スライド表示のための処理に使われる。所定値以下ではない場合には、記憶部１０８ａからダミーデータを読み出し（Ｓ２１２ａ）、ユーザによるスライド操作が行われると、ダミーデータをスライド表示させる（Ｓ２１２）。
【０１２３】
携帯端末１００ｅにおいては、スライド操作を検出して（Ｓ２１３）、そのスライド操作が基準時点から所定時間以内である場合には（Ｓ２１４）、データの移動があったとして、データのスライド表示を行う（Ｓ２１５ａ）。なお、携帯端末１００ｅにおいては、記憶部１０８ｂを参照して、記憶されているデータのデータサイズが所定値以下のものではない場合には、ダミーデータを利用し、またデータの受信が完了していない場合にも、同様にダミーデータを用いたスライド表示処理を行わせる。
【０１２４】
また、基準時から所定時間以内にスライド操作はないと、検出部１０４ｂにおいて判断されると（Ｓ２１３：ＮＯ、Ｓ２１４：ＮＯ）、削除部１０６ｂにより、該当するデータは記憶部１０８ｂから削除される（Ｓ２１６）。
【０１２５】
そして、アプリケーション１０２ａおよびアプリケーション１０２ｂが終了されると（Ｓ２１７、Ｓ２１７ａ）、中継サーバ２００から対応する携帯端末１００ａおよび携帯端末１００ｂの組み合わせや、データが削除される（Ｓ２１８）。
【０１２６】
このようにして、中継サーバ２００を利用して、ダミーデータを利用したスライド操作およびそのスライド表示処理を行わせることができ、データサイズによらず、直感的な操作を可能にさせる。
【０１２７】
つぎに、本実施形態の携帯端末１００ｄおよび携帯端末１００ｅの作用効果について説明する。
【０１２８】
本実施形態の携帯端末１００ｄは、おおむね第一の実施形態と同様の作用効果を奏するが、中継サーバ２００に対してデータ送信処理を行う点や、中継サーバ２００が携帯端末１００ｄおよび携帯端末１００ｅの組み合わせを決定する点で相違する。すなわち、携帯端末１００ｄにおいて、通信部１０７ｄは、ネットワーク上に配置されている中継サーバ２００を介して、通信相手にデータを送信する。そして、通信部１０７ｄは、当該送信に先立って、中継サーバ２００に対して、スライド表示をさせるための機能であるアプリケーション１０２ａを起動したことを示す起動情報および測位された位置情報を通知することにより、中継サーバ２００において、データの送信処理を実行しようとする移動先の携帯端末１００ｄおよび移動元の携帯端末１００ｅの組み合わせを特定することができる。
【０１２９】
また、本実施形態の携帯端末１００ｅは、位置測位部１０９ｂをさらに備え、通信部１０７ｅは、ネットワーク上に配置されている中継サーバ２００を介して、携帯端末１００ｄからデータを受信し、当該受信に先立って、中継サーバ２００に対して、スライド表示をさせるための機能を起動したことを示す起動情報および測位された位置情報を通知することで、中継サーバ２００において、データの送信処理を実行しようとする移動先の携帯端末１００ｄおよび移動元の携帯端末１００ｅの組み合わせを特定することができる。
【０１３０】
そして、中継サーバ２００において、通信部２０１は、携帯端末１００ｄの識別情報、位置情報およびアプリケーション１０２ａ起動情報、携帯端末１００ｅの識別情報、位置情報およびアプリケーション１０２ｂの起動情報を受信し、これら情報を管理テーブル２０３は一時記憶する。そして、制御部２０２は、受信された各位置情報および起動情報に基づいて、携帯端末１００ｄおよび携帯端末１００ｅの組み合わせを特定する。そして、通信部２０１は、携帯端末１００ｄからデータを受信すると、制御部２０２により組み合わせが特定された携帯端末１００ｅに対してデータを転送する。
【０１３１】
よって、携帯端末１００ｄおよび携帯端末１００ｅにおいて、中継サーバ２００を利用したデータの送受信を行うことができ、ネットワークを利用したデータ送信の直感的な操作を実現することができる。
【０１３２】
また、携帯端末１００ｄおよび携帯端末１００ｅは、アプリケーション１０２ａおよび１０２ｂの起動情報をはじめ、その時刻情報および位置情報を中継サーバ２００に送信し、中継サーバ２００では、これら情報に基づいて同時期に、同位置において、データ送信のための同じアプリケーションを起動させた場合には、それら携帯端末１００ｄおよび１００ｅは、互いにデータの送信を希望している端末であると判断することができ、それらを一組の端末として管理することができる。
【０１３３】
なお、移動元の携帯端末１００ｄおよび移動先の携帯端末１００ｅにおいて、それぞれアプリケーション１０２ａおよびアプリケーション１０２ｂが起動した時刻情報を、起動情報等とともに中継サーバ２００に通知して、それを管理テーブル２０３に記憶させてもよいし、中継サーバ２００において、起動情報を受信した時刻を管理テーブル２０３に記憶させるようにしてもよい。
【符号の説明】
【０１３４】
１００ａ、１００ｂ、１００ｃ 、１００ｄ、１００ｅ…携帯端末、１０１ａ、１０１ｂ…タッチパネル、１０２ａ、１０２ｂ…アプリケーション、１０３ａ …選択部、１０４ａ、１０４ｂ…検出部、１０５ａ、１０５ｂ…表示制御部、１０６ｂ…削除部、１０７ａ、１０７ｂ…近距離無線通信部、１０７ｄ     、１０７ｅ…通信部、１０８ａ、１０８ｂ…記憶部、１０９ａ、１０９ｂ…位置測位部、２００…中継サーバ、２０１…通信部、２０２…制御部、２０３…管理テーブル。
【図１】
0005486540.tif 000002
【図２】
0005486540.tif 000003
【図３】
0005486540.tif 000004
【図４】
0005486540.tif 000005
【図５】
0005486540.tif 000006
【図６】
0005486540.tif 000007
【図７】
0005486540.tif 000008
【図８】
0005486540.tif 000009
【図９】
0005486540.tif 000010
【図１０】
0005486540.tif 000011
【図１１】
0005486540.tif 000012
【図１２】
0005486540.tif 000013
【図１３】
0005486540.tif 000014
【図１４】
0005486540.tif 000015
【図１５】
0005486540.tif 000016
【図１６】
0005486540.tif 000017